(57)【要約】【課題】車椅子利用者が使用する場合であっても、家具本体への傷付きを防止することができる家具構造を提供する。【解決手段】家具本体１１の引出２１及び左右の扉２３，２３における取っ手部２４，２４の奥面２５を緑色に着色する。前記両扉２３，２３の下部に、当該扉２３，２３が形成する前面３１より奥側に没入した凹部３２を形成し、該凹部３２に横長の突出部材３３を取り付ける。突出部材３３を突出部材本体４１とカバー４２で構成し、突出部材本体４１の厚み寸法を、凹部３２の深さ寸法より大きく設定する。これにより、突出部材本体４１を前記凹部３２に取り付けた状態で、前記両扉２３，２３の前面３１が形成する当該家具本体１１前面より当該突出部材本体４１が突出するように構成する。【選択図】図１
0003126794.tif 000002
【実用新案登録請求の範囲】
【請求項１】
家具本体の前面下部に当該家具本体の前面より突出する突出部材を設けたことを特徴とする家具構造。
【請求項２】
家具本体の前面下部に凹部を設け、該凹部に前記突出部材を設けたことを特徴とする請求項１記載の家具構造。
【請求項３】
前記突出部材を、前記家具本体の前面より突出するカバーで構成し、前記家具本体の下部に配置される前記カバーの一面に波形状の波形部を設けたことを特徴とする請求項１記載の家具構造。
【請求項４】
前記突出部材を、突出部材本体と該突出部材本体の外面に取り付けられるカバーとで構成するとともに、前記突出部材本体の下部に配置される前記カバーの一面に波形状の波形部を設けたことを特徴とする請求項１記載の家具構造。
【請求項５】
前面側に位置する前記カバーの前壁面に凸条を設けたことを特徴とする請求項３又は４記載の家具構造。
【請求項６】
前記家具本体に設けられた取っ手部分を緑色に着色したことを特徴とする請求項１から５にいずれか記載の家具構造。
【考案の詳細な説明】
【技術分野】
【０００１】
本考案は、車椅子利用者等の使用に適した家具構造に関する。
【背景技術】
【０００２】
従来、物品を整理する際には、引出や扉を有する家具が使用されていた。
【考案の開示】
【考案が解決しようとする課題】
【０００３】
しかしながら、このような家具にあっては、車椅子利用が使用する際に、車椅子が家具本体に干渉してしまい、家具本体を傷つけることがあった。
【０００４】
本考案は、このような従来の課題に鑑みてなされたものであり、車椅子利用者が使用する場合であっても、家具本体への傷付きを防止することができる家具構造を提供することを目的とするものである。
【課題を解決するための手段】
【０００５】
前記課題を解決するために本考案の請求項１の家具構造にあっては、家具本体の前面下部に当該家具本体の前面より突出する突出部材を設けた。
【０００６】
また、請求項２の家具構造においては、家具本体の前面下部に凹部を設け、該凹部に前記突出部材を設けた。
【０００７】
さらに、請求項３の家具構造では、前記突出部材を、前記家具本体の前面より突出するカバーで構成し、前記家具本体の下部に配置される前記カバーの一面に波形状の波形部を設けた。
【０００８】
すなわち、家具本体の前面下部に設けられた前記突出部材は、取付状態において当該家具本体の前面より突出する。
【０００９】
このため、車椅子利用が使用する際に、車椅子に設けられたステップが前記突出部材に当接することによって、車椅子と家具本体との干渉が防止される。
【００１０】
また、請求項４の家具構造にあっては、前記突出部材を、突出部材本体と該突出部材本体の外面に取り付けられるカバーとで構成するとともに、前記突出部材本体の下部に配置される前記カバーの一面に波形状の波形部を設けた。
【００１１】
すなわち、前記突出部材本体に取り付けられたカバーには、前記突出部材本体の下部に配置される一面に波形状の波形部が形成されており、波形状の波形部によって当該家具本体の転倒が防止される。
【００１２】
さらに、請求項５の家具構造においては、前面側に位置する前記カバーの前壁面に凸条を設けた。
【００１３】
すなわち、前記突出部材本体の前面側に位置する前記カバーの前壁面には、凸条が設けられており、この凸条によって当該カバーは補強される。
【００１４】
加えて、請求項６の家具構造では、前記家具本体に設けられた取っ手部分を緑色に着色した。
【００１５】
すなわち、前記家具本体に設けられた取っ手部分は、緑色に着色されており、白内障の利用者にあっては、前記取っ手部を見やすくすることができる。
【考案の効果】
【００１６】
以上説明したように、本考案の請求項１から３の家具構造にあっては、車椅子利用が使用する際に、車椅子に設けられたステップが家具本体に設けられた突出部材に当接することによって、車椅子と家具本体との干渉を防止することができる。
【００１７】
このため、車椅子利用者が使用する際に、車椅子が家具本体に干渉してしまう従来と比較して、車椅子との干渉に起因した家具本体の傷付きを防止することができる。
【００１８】
また、請求項３及び４の家具構造においては、カバーの一面に波形状の波形部を形成することによって、前記家具本体の転倒を防止することができる。
【００１９】
さらに、請求項５の家具構造では、前記突出部材本体の前面側に位置する前記カバーの前壁面に、凸条を設けることによって、当該カバーの剛性を高めることができる。
【００２０】
加えて、請求項６の家具構造にあっては、前記家具本体に設けられた取っ手部分を緑色に着色することによって、白内障の利用者にあっては、前記取っ手部を見やすくすることができる。これにより、利便性が向上する。
【考案を実施するための最良の形態】
【００２１】
以下、本考案の第１の実施の形態を図に従って説明する。図１は、本実施の形態にかかる家具構造を備えた介護用家具１を示す図であり、該介護用家具１は、車椅子利用者の使用に適した家具である。
【００２２】
この介護用家具１の家具本体１１は、底面１２と、該底面１２の左右の側縁に起立した側壁面１３，１３と、前記底面１２の後縁に起立した後壁面１４と、前記両側壁面１３，１３及び前記後壁面１４に架橋した天面１５とからなる矩形状に形成されている。
【００２３】
この家具本体１１の前方上部には、引出２１が引き出し自在に設けられており、該引出２１の上縁中央部には、奥側に後退した取っ手部２２が形成されている。この引出２１下部には、前方開口部が設けられており、該前方開口部は、観音開きされる左右の扉２３，２３によって開閉自在に閉鎖されている。両扉２３，２３の上縁端部にも、奥側に後退した取っ手部２４，２４が形成されており、各取っ手部２２，２４，２４は、その奥面２５，・・・が緑色に着色されている。
【００２４】
そして、前記両扉２３，２３の下部には、当該扉２３，２３が形成する前面３１より奥側に没入した凹部３２が当該家具本体１１の横幅方向に延設されており、該凹部３２には、横長の突出部材３３が取り付けられている。
【００２５】
この突出部材３３は、図２に示したような木製の突出部材本体４１と、図３に示すような樹脂製のカバー４２とによって構成されている。すなわち、前記突出部材本体４１も前記カバー４２も突出部材３３を構成する。
【００２６】
前記突出部材本体４１は、図２に示したように、長尺状に形成されており、その長さは、前記家具本体１１の横幅と同寸法に設定されている。この突出部材本体４１の前面５１には、両端部の二箇所に座繰り穴５２，５２が設けられており、該座繰り穴５２，５２に挿入されるネジを前記家具本体１１に螺入することによって、当該突出部材本体４１は、前記家具本体１１に固定されている。
【００２７】
この突出部材本体４１の厚み寸法は、前記凹部３２の深さ寸法より大きく設定されており、当該突出部材本体４１を前記凹部３２に取り付けた状態で、前記両扉２３，２３の前面３１が形成する当該家具本体１１前面より突出するように構成されている。
【００２８】
前記カバー４２は、図３に示したように、長尺状に形成されており、その長さは、前記突出部材本体４１とほぼ同じ長さに形成されている。このカバー４２は、前記突出部材本体４１に取り付けた状態で、前記突出部材本体４１の上面を覆う上壁面６１と、前記突出部材本体４１の前面５１を覆う前壁面６２と、前記突出部材本体４１の下面を覆う下壁面６３とによって構成されており、断面コ字状に形成されている。
【００２９】
前記カバー４２の前記下壁面６３は、楔状に形成されており、その一面である上面には、図３の（ｂ）に示すように、鋸歯状に形成されている。これにより、当該下壁面６３には、波形状の波形部６４が設けられている。
【００３０】
そして、前記カバー４２の前記前壁面６２には、前方に突出する複数の凸条７１，・・・が長さ方向に延設されており、各凸条７１，・・・は、間隔をおいて設けられている。
【００３１】
以上の構成にかかる本実施の形態において、前記家具本体１１の前面下部に設けられた凹部３２には、突出部材３３が取り付けられており、該突出部材３３は、取付状態において当該家具本体１１の前面３１より突出する。
【００３２】
このため、車椅子利用が当該介護用家具１を使用する際に、車椅子に設けられたステップが前記突出部材３３に当接することによって、車椅子と家具本体１１との干渉を防止することができる。
【００３３】
このため、車椅子利用者が使用する際に、車椅子が家具本体１１に干渉してしまう従来と比較して、車椅子との干渉に起因した家具本体１１の傷付きを防止することができる。
【００３４】
また、前記突出部材３３はカバー４２を備えており、該カバー４２には、前記突出部材本体４１の下部に配置される下壁面６３、又は家具本体１１の一部としての前記突出部材４１の下部に配置される下壁面６３に波形状の波形部６４が形成されている。これにより、このカバー４２に設けられた前記波形部６４によって当該家具本体１１の転倒を防止することができる。
【００３５】
そして、前記突出部材本体４１の前面を覆う前記カバー４２の前記前壁面６２には、複数の凸条７１，・・・が延設されており、この凸条７１，・・・によって当該カバー４２を補強することができる。
【００３６】
一方、前記引出２１及び前記両扉２３，２３には、取っ手部２２，２４，２４が設けられており、各取っ手部２４，２４は、その奥面２５，・・・は、緑色に着色されている。このため、白内障の利用者にあっては、前記取っ手部２２，２４，２４を見やすくするという効果を得ることができ、利便性が向上する。
【００３７】
なお、本実施の形態では、図１に示した介護用家具１を例に挙げて説明したが、この形状に限定されるものでは無く、図４に示すように、収納部の総てが引出１０１，・・・で構成された介護用家具１０２や、収納部の総てが前方開口状の棚部１１１，・・・で構成された介護用家具１１２であっても良い。
【００３８】
また、前記家具本体１１に設けられた前記凹部３２から前記突出部材３３を取り外すことによって、当該凹部３２内に靴などを収容することもできる。
【図面の簡単な説明】
【００３９】
【図１】本考案の第１の実施の形態を示す図である。
【図２】同実施の形態の要部を示す斜視図である。
【図３】同実施の形態のカバーを示す図で、（ａ）は要部の正面図であり、（ｂ）は側面図である。
【図４】本考案の第２の実施の形態を示す図である。
【図５】本考案の第３の実施の形態を示す図である。
【符号の説明】
【００４０】
１    介護用家具
１１    家具本体
２２    取っ手部
３１    前面
３２    凹部
３３    突出部材
４１    突出部材本体
４２    カバー
６２    前壁面
６３    下壁面
６４    波形部
７１    凸条
【図１】
0003126794.tif 000003
【図２】
0003126794.tif 000004
【図３】
0003126794.tif 000005
【図４】
0003126794.tif 000006
【図５】
0003126794.tif 000007